(57)【要約】  本発明は、コンテンツ提示ユニットとコンテンツ選択ユニットを含むインターネットラジオ局のインタラクティブデバイスを開示する。当該コンテンツ選択ユニットは、操作モジュール、処理モジュール、指示モジュール及び通信モジュールを含む。当該操作モジュールは、ユーザが手動で回す方式でラジオ局選択命令を入力し、対応する電気信号を生成するために用いられる。当該処理モジュールは、当該通信モジュールを介してインターネットラジオ局に接続され、当該電気信号に基づいて当該インターネットラジオ局から対応するオーディオリソースを取得するとともに、当該対応するオーディオリソースを当該コンテンツ提示ユニットに送信するために用いられる。当該コンテンツ提示ユニットは当該オーディオリソースを放送するために用いられる。当該処理モジュールは、更に、当該電気信号に対応する状態変化が当該指示モジュールに発生するよう駆動するために用いられる。これにより、ユーザは、当該操作モジュールを回転させることでオーディオリソースを選択可能となる。よって、当該インターネットラジオ局のインタラクティブデバイスのラジオ局選択方法は従来型のラジオの回転チューニング方法と類似している。【選択図】図２
2021517374.tif 000002
【特許請求の範囲】
【請求項１】
コンテンツ提示ユニットとコンテンツ選択ユニットを含むインターネットラジオ局のインタラクティブデバイスであって、
前記コンテンツ選択ユニットは、操作モジュール、前記操作モジュールに電気的に接続される処理モジュール、前記処理モジュールに電気的に接続される物理形態の指示モジュール、及び前記処理モジュールに電気的に接続される通信モジュールを含み、
前記操作モジュールは、ユーザが手動で回す方式でラジオ局選択命令を入力し、対応する電気信号を生成するために用いられ、
前記処理モジュールは、前記通信モジュールを介してインターネットラジオ局に接続され、前記電気信号に基づいて前記インターネットラジオ局から対応するオーディオリソースを取得するとともに、対応する前記オーディオリソースを前記コンテンツ提示ユニットに送信するために用いられ、
前記コンテンツ提示ユニットは前記オーディオリソースを放送するために用いられ、
前記処理モジュールは、更に、前記電気信号に対応する状態変化が前記指示モジュールに発生するよう駆動するために用いられることを特徴とするインタラクティブデバイス。
【請求項２】
前記操作モジュールは、ロータリエンコーダと、前記ロータリエンコーダの回転軸に覆接される摘みを含み、前記ロータリエンコーダの内部には、前記ラジオ局選択命令に基づいて対応する電気信号を生成するためのチャンネル選択回路が設けられていることを特徴とする請求項１に記載のインターネットラジオ局のインタラクティブデバイス。
【請求項３】
前記支持モジュールはダイヤル及び照明プレートを含み、前記ダイヤルにはＮ個の表示記号が備わっており、前記照明プレートには、前記処理モジュールに電気的に接続される指示回路が設けられており、前記指示回路はＮ個の発光部材を含み、Ｎ個の前記発光部材はＮ個の前記表示記号に一対一で対応しており、Ｎは０よりも大きな自然数であることを特徴とする請求項２に記載のインターネットラジオ局のインタラクティブデバイス。
【請求項４】
前記処理モジュールは、前記指示モジュールにおける前記電気信号に対応する発光ユニットを起動するよう駆動するために用いられることを特徴とする請求項３に記載のインターネットラジオ局のインタラクティブデバイス。
【請求項５】
前記処理モジュールと前記通信モジュールは電子回路基板に集積され、前記ロータリエンコーダと前記照明プレートは前記電子回路基板に溶接され、前記照明プレートの中央には、前記ロータリエンコーダの回転軸を挿通可能な第１丸孔が備わっており、前記ダイヤルの中央には、前記ロータリエンコーダの回転軸を挿通可能な第２丸孔が備わっており、前記ロータリエンコーダの回転軸は前記第１丸孔と前記第２丸孔に挿通されることを特徴とする請求項３に記載のインターネットラジオ局のインタラクティブデバイス。
【請求項６】
Ｎ個の前記発光部材は等間隔で前記第１丸孔を取り囲むように配置され、Ｎ個の前記表示記号は等間隔で前記第２丸孔を取り囲むように配置されることを特徴とする請求項５に記載のインターネットラジオ局のインタラクティブデバイス。
【請求項７】
前記インタラクティブデバイスはハウジングとレンズを更に含み、前記ダイヤルは前記ハウジングに係止され、前記レンズは前記ダイヤルに係止され、前記レンズの中央には、前記ロータリエンコーダの回転軸を挿通可能な第３丸孔が備わっており、前記ロータリエンコーダの回転軸が前記第３丸孔に挿通されることを特徴とする請求項５に記載のインターネットラジオ局のインタラクティブデバイス。
【請求項８】
前記操作モジュールは、ロータリエンコーダと、連携モジュールを介して前記ロータリエンコーダの回転軸に物理的に接続される摘みを含み、前記ロータリエンコーダの内部には、前記ラジオ局選択命令に基づいて対応する電気信号を生成するためのチャンネル選択回路が設けられており、
ユーザが前記摘みを回してラジオ局選択命令を入力すると、前記摘みが前記連携モジュールを介して前記ロータリエンコーダの回転軸を回転させることで、前記ロータリエンコーダが前記ラジオ局選択命令に対応する電気信号を生成することを特徴とする請求項１に記載のインターネットラジオ局のインタラクティブデバイス。
【請求項９】
前記指示モジュールは、ケーブル、前記ケーブルに接続される指針、前記ケーブルに沿って配置されるダイヤル、及び前記ダイヤルに対応する照明プレートを含み、前記ダイヤルにはＮ個の表示記号が備わっており、Ｎ個の前記表示記号は複数の異なる前記オーディオリソースに一対一で対応しており、前記照明プレートには、前記処理モジュールに電気的に接続される指示回路が設けられており、前記指示回路はＮ個の発光部材を含み、Ｎ個の前記発光部材はＮ個の前記表示記号に一対一で対応しており、Ｎは０よりも大きな自然数であり、
前記連携モジュールは、前記ロータリエンコーダの回転軸に接続される第１滑車を含み、前記ケーブルは前記摘みと前記第１滑車にそれぞれ巻き付けられ、
ユーザが前記摘みを回してラジオ局選択命令を入力すると、前記摘みが前記ケーブルを一定の軌道だけ走行駆動することで、前記第１滑車がこれに対応して前記ロータリエンコーダの回転軸を回転させて対応する電気信号を生成させ、前記処理モジュールは、前記電気信号に基づいて前記インターネットラジオ局から対応するオーディオリソースを取得するとともに、対応する前記オーディオリソースを前記コンテンツ提示ユニットに送信し、前記コンテンツ提示ユニットは対応する前記オーディオリソースを放送し、前記処理モジュールは、更に、前記電気信号に基づいて対応する前記発光部材を起動させるよう駆動し、前記指針は、前記ケーブルとともに前記ダイヤルに沿って移動するとともに、起動した前記発光部材に照準を合わせることを特徴とする請求項８に記載のインターネットラジオ局のインタラクティブデバイス。
【請求項１０】
前記指示モジュールは、ケーブル、前記ケーブルに接続される指針、前記ケーブルに沿って配置されるダイヤル、及び前記ダイヤルに対応する照明プレートを含み、前記ダイヤルにはＮ個の表示記号が備わっており、Ｎ個の前記表示記号は複数の異なる前記オーディオリソースに一対一で対応しており、前記照明プレートには、前記処理モジュールに電気的に接続される指示回路が設けられており、前記指示回路はＮ個の発光部材を含み、Ｎ個の前記発光部材はＮ個の前記表示記号に一対一で対応しており、Ｎは０よりも大きな自然数であり、
前記連携モジュールは、第２滑車、第１受動伝動プーリ及び第２受動伝動プーリを含み、前記第２滑車は前記ロータリエンコーダの回転軸に接続され、前記ケーブルは、前記第２滑車、前記第１受動伝動プーリ、前記第２受動伝動プーリ及び前記摘みに巻き付けられ、
ユーザが前記摘みを回してラジオ局選択命令を入力すると、前記摘みが前記ケーブルを一定の軌道だけ走行駆動することで、前記第２滑車がこれに対応して前記ロータリエンコーダの回転軸を回転させて対応する電気信号を生成させ、前記処理モジュールは、前記電気信号に基づいて前記インターネットラジオ局から対応するオーディオリソースを取得するとともに、対応する前記オーディオリソースを前記コンテンツ提示ユニットに送信し、前記コンテンツ提示ユニットは対応する前記オーディオリソースを放送し、前記処理モジュールは、更に前記電気信号に基づいて対応する前記発光部材を起動させるよう駆動し、前記指針は、前記ケーブルとともに前記ダイヤルに沿って移動するとともに、起動した前記発光部材に照準を合わせることを特徴とする請求項８に記載のインターネットラジオ局のインタラクティブデバイス。
【発明の詳細な説明】
【技術分野】
【０００１】
本発明は、電子通信の技術分野に関し、具体的には、インターネットラジオ局のインタラクティブデバイスに関する。
【背景技術】
【０００２】
従来型のラジオが誕生してから現在までにすでに１００年余りの歴史が経過している。従来型のラジオの使用は人類の生活に多大な影響を及ぼしてきた。特に、テレビもインターネットも存在しない時代において、ラジオは人々が情報を取得したり娯楽番組を鑑賞したりするための最適なツールであった。しかし、従来型のラジオ局は伝搬距離に限界があり、音質もそれほど良くないため（ＦＭを除く）、地域や聴取環境の影響を強く受けてしまう。また、コンテンツも減少傾向にあることから、従来型のラジオは徐々に非主流化しつつある。一方で、各種電子技術やインターネットの急速な発展に伴い、人類はネットワーク時代に突入した。現在、ネットワーク上には数多くのインターネットラジオ局が存在しているが、これらのラジオ局は、音楽や音声放送番組をタイムリーに提供したり、音楽や放送の録音再生機能を提供したりできるため、利便性が大いに高まっている。これらのラジオ局を聴取する際には、一般的に、指示用のスクリーンやキーを備えるインターネットラジオ又はコンピュータを使用し、インターネットに接続して聴取する。しかし、こうした使用方式によるインタラクションには、従来型のラジオによるインタラクション方式のような使いやすさはなく、多くのユーザが使用体験に劣るとの反応を示している。このほか、従来のコンピュータは体積が相対的に大きく、ネットワーク回線の制約もあるため、通常は家の中でのみ聴取可能となる。或いは、ノートパソコンを使用して聴取する場合もあるが、やや面倒であることに変わりはない。且つ、コンピュータや携帯電話はそもそもラジオではないため、良好なユーザエクスペリエンスや高品質な音声処理、パワーアンプといったラジオの核心的要素が不足している。
【０００３】
我々は、従来型のラジオにせよインターネットラジオにせよ、いずれも人と音声コンテンツをつなぐツールデバイスであると考えている。また、インターネットラジオは、より多くのコンテンツとより幅広い集団への適応性を備えることから、若者たちにとって音声及び情感を伴う理想的なエンターテインメントツールとなりつつある。
【発明の概要】
【発明が解決しようとする課題】
【０００４】
本発明が解決しようとする技術的課題は、従来技術に存在する上記の課題に対し、単純に摘みを回すという従来型のラジオと類似した方法でチャンネルを変更可能なインターネットラジオ局のインタラクティブデバイスを提供することである。これにより、インターネットラジオ局の聴取方式が複雑であるという現在の課題が解決されるため、従来型のラジオのチューニングに慣れたユーザが、本発明で提供するインターネットラジオ局のインタラクティブデバイスを使用する際に適応困難に陥るとの事態は発生し得ず、本発明で提供するインターネットラジオ局のインタラクティブデバイスを速やかに受け入れて自在に使用し、オーディオリソースを選択することが可能となる。
【課題を解決するための手段】
【０００５】
本発明が技術的課題を解決するために採用する技術方案は以下の通りである。
【０００６】
インターネットラジオ局のインタラクティブデバイスであって、その特徴として、コンテンツ提示ユニットとコンテンツ選択ユニットを含む。前記コンテンツ選択ユニットは、操作モジュール、前記操作モジュールに電気的に接続される処理モジュール、前記処理モジュールに電気的に接続される物理形態の指示モジュール、及び前記処理モジュールに電気的に接続される通信モジュールを含む。前記操作モジュールは、ユーザが手動で回す方式でラジオ局選択命令を入力し、対応する電気信号を生成するために用いられる。前記処理モジュールは、前記通信モジュールを介してインターネットラジオ局に接続され、前記電気信号に基づいて前記インターネットラジオ局から対応するオーディオリソースを取得するとともに、対応する前記オーディオリソースを前記コンテンツ提示ユニットに送信するために用いられる。前記コンテンツ提示ユニットは前記オーディオリソースを放送するために用いられる。前記処理モジュールは、更に、前記電気信号に対応する状態変化が前記指示モジュールに発生するよう駆動するために用いられる。
【０００７】
本発明で提供するインターネットラジオ局のインタラクティブデバイスにおいて、前記操作モジュールは、ロータリエンコーダと、前記ロータリエンコーダの回転軸に覆接される摘みを含む。前記ロータリエンコーダの内部には、前記ラジオ局選択命令に基づいて対応する電気信号を生成するためのチャンネル選択回路が設けられている。
【０００８】
本発明で提供するインターネットラジオ局のインタラクティブデバイスにおいて、前記支持モジュールはダイヤル及び照明プレートを含む。前記ダイヤルにはＮ個の表示記号が備わっている。前記照明プレートには、前記処理モジュールに電気的に接続される指示回路が設けられている。前記指示回路はＮ個の発光部材を含み、Ｎ個の前記発光部材はＮ個の前記表示記号に一対一で対応している。なお、Ｎは０よりも大きな自然数である。
【０００９】
本発明で提供するインターネットラジオ局のインタラクティブデバイスにおいて、前記処理モジュールは、前記指示モジュールにおける前記電気信号に対応する発光ユニットを起動するよう駆動するために用いられる。
【００１０】
本発明で提供するインターネットラジオ局のインタラクティブデバイスにおいて、前記処理モジュールと前記通信モジュールは電子回路基板に集積され、前記ロータリエンコーダと前記照明プレートは前記電子回路基板に溶接される。前記照明プレートの中央には、前記ロータリエンコーダの回転軸を挿通可能な第１丸孔が備わっており、前記ダイヤルの中央には、前記ロータリエンコーダの回転軸を挿通可能な第２丸孔が備わっている。前記ロータリエンコーダの回転軸は前記第１丸孔と前記第２丸孔に挿通される。
【００１１】
本発明で提供するインターネットラジオ局のインタラクティブデバイスにおいて、Ｎ個の前記発光部材は等間隔で前記第１丸孔を取り囲むように配置され、Ｎ個の前記表示記号は等間隔で前記第２丸孔を取り囲むように配置される。
【００１２】
本発明で提供するインターネットラジオ局のインタラクティブデバイスにおいて、前記インタラクティブデバイスはハウジングとレンズを更に含む。前記ダイヤルは前記ハウジングに係止され、前記レンズは前記ダイヤルに係止される。前記レンズの中央には、前記ロータリエンコーダの回転軸を挿通可能な第３丸孔が備わっており、前記ロータリエンコーダの回転軸が前記第３丸孔に挿通される。
【００１３】
本発明で提供するインターネットラジオ局のインタラクティブデバイスにおいて、前記操作モジュールは、ロータリエンコーダと、連携モジュールを介して前記ロータリエンコーダの回転軸に物理的に接続される摘みを含む。前記ロータリエンコーダの内部には、前記ラジオ局選択命令に基づいて対応する電気信号を生成するためのチャンネル選択回路が設けられている。ユーザが前記摘みを回してラジオ局選択命令を入力すると、前記摘みが前記連携モジュールを介して前記ロータリエンコーダの回転軸を回転させることで、前記ロータリエンコーダが前記ラジオ局選択命令に対応する電気信号を生成する。
【００１４】
本発明で提供するインターネットラジオ局のインタラクティブデバイスにおいて、前記指示モジュールは、ケーブル、前記ケーブルに接続される指針、前記ケーブルに沿って配置されるダイヤル、及び前記ダイヤルに対応する照明プレートを含む。前記ダイヤルにはＮ個の表示記号が備わっており、Ｎ個の前記表示記号は複数の異なる前記オーディオリソースに一対一で対応している。前記照明プレートには、前記処理モジュールに電気的に接続される指示回路が設けられている。前記指示回路はＮ個の発光部材を含み、Ｎ個の前記発光部材はＮ個の前記表示記号に一対一で対応している。なお、Ｎは０よりも大きな自然数である。
【００１５】
前記連携モジュールは、前記ロータリエンコーダの回転軸に接続される第１滑車を含み、前記ケーブルは前記摘みと前記第１滑車にそれぞれ巻き付けられる。
【００１６】
ユーザが前記摘みを回してラジオ局選択命令を入力すると、前記摘みが前記ケーブルを一定の軌道だけ走行駆動することで、前記第１滑車がこれに対応して前記ロータリエンコーダの回転軸を回転させて対応する電気信号を生成させる。前記処理モジュールは、前記電気信号に基づいて前記インターネットラジオ局から対応するオーディオリソースを取得するとともに、対応する前記オーディオリソースを前記コンテンツ提示ユニットに送信する。前記コンテンツ提示ユニットは対応する前記オーディオリソースを放送する。前記処理モジュールは、更に、前記電気信号に基づいて対応する前記発光部材を起動させるよう駆動する。前記指針は、前記ケーブルとともに前記ダイヤルに沿って移動するとともに、起動した前記発光部材に照準を合わせる。
【００１７】
本発明で提供するインターネットラジオ局のインタラクティブデバイスにおいて、前記指示モジュールは、ケーブル、前記ケーブルに接続される指針、前記ケーブルに沿って配置されるダイヤル、及び前記ダイヤルに対応する照明プレートを含む。前記ダイヤルにはＮ個の表示記号が備わっており、Ｎ個の前記表示記号は複数の異なる前記オーディオリソースに一対一で対応している。前記照明プレートには、前記処理モジュールに電気的に接続される指示回路が設けられている。前記指示回路はＮ個の発光部材を含み、Ｎ個の前記発光部材はＮ個の前記表示記号に一対一で対応している。なお、Ｎは０よりも大きな自然数である。
【００１８】
前記連携モジュールは、第２滑車、第１受動伝動プーリ及び第２受動伝動プーリを含む。前記第２滑車は前記ロータリエンコーダの回転軸に接続され、前記ケーブルは、前記第２滑車、前記第１受動伝動プーリ、前記第２受動伝動プーリ及び前記摘みに巻き付けられる。
【００１９】
ユーザが前記摘みを回してラジオ局選択命令を入力すると、前記摘みが前記ケーブルを一定の軌道だけ走行駆動することで、前記第２滑車がこれに対応して前記ロータリエンコーダの回転軸を回転させて対応する電気信号を生成させる。前記処理モジュールは、前記電気信号に基づいて前記インターネットラジオ局から対応するオーディオリソースを取得するとともに、対応する前記オーディオリソースを前記コンテンツ提示ユニットに送信する。前記コンテンツ提示ユニットは対応する前記オーディオリソースを放送する。前記処理モジュールは、更に前記電気信号に基づいて対応する前記発光部材を起動させるよう駆動する。前記指針は、前記ケーブルとともに前記ダイヤルに沿って移動するとともに、起動した前記発光部材に照準を合わせる。
【発明の効果】
【００２０】
本発明で提供するインターネットラジオ局のインタラクティブデバイスを実施すれば、以下の有益な効果を達成可能である。即ち、前記インターネットラジオ局のインタラクティブデバイスは、コンテンツ提示ユニットとコンテンツ選択ユニットを含む。前記コンテンツ選択ユニットは、操作モジュール、前記操作モジュールに電気的に接続される処理モジュール、前記処理モジュールに電気的に接続される物理形態の指示モジュール、及び前記処理モジュールに電気的に接続される通信モジュールを含む。前記操作モジュールは、ユーザが手動で回す方式でラジオ局選択命令を入力し、対応する電気信号を生成するために用いられる。前記処理モジュールは、前記通信モジュールを介してインターネットラジオ局に接続され、前記電気信号に基づいて前記インターネットラジオ局から対応するオーディオリソースを取得するとともに、対応する前記オーディオリソースを前記コンテンツ提示ユニットに送信するために用いられる。前記コンテンツ提示ユニットは前記オーディオリソースを放送するために用いられる。前記処理モジュールは、更に、前記電気信号に対応する状態変化が前記指示モジュールに発生するよう駆動するために用いられる。これにより、ユーザは、前記操作モジュールを回転させることでオーディオリソースを選択可能となる。このようなラジオ局選択方法は従来型のラジオにおける回転チューニング方法と極似しているため、従来型のラジオのチューニングに慣れたユーザが、本発明で提供するインターネットラジオ局のインタラクティブデバイスを使用する際に適応困難に陥るとの事態は発生し得ず、本発明で提供するインターネットラジオ局のインタラクティブデバイスを速やかに受け入れて自在に使用することが可能となる。
【図面の簡単な説明】
【００２１】
【図１】図１は、本発明の第１実施例におけるコンテンツ選択ユニットのブロック図である。
【図２】図２は、本発明の第１実施例におけるコンテンツ選択ユニットの分解斜視図である。
【図３】図３は、本発明の第１実施例におけるチャンネル選択回路の回路構造図である。
【図４】図４は、本発明の第１実施例における処理モジュールの回路構造図である。
【図５】図５は、本発明の第１実施例における指示回路の回路構造図である。
【図６】図６は、本発明の第２実施例における摘み、連携モジュール及びロータリエンコーダの回転軸の接続関係を示す図である。
【図７】図７は、本発明の第３実施例における摘み、連携モジュール及びロータリエンコーダの回転軸の接続関係を示す図である。
【発明を実施するための形態】
【００２２】
本発明の技術的特徴、目的及び効果がより明確に理解されるよう、図面を参照して本発明の具体的実施形態につき詳細に説明する。なお、言うまでもなく、ここで記載する実施例は本発明の一部の実施例にすぎず、全ての実施例ではない。本発明の実施例に基づき当業者が創造的労働を要さずして取得するその他あらゆる実施例は、いずれも本発明の保護の範囲に属する。
【実施例１】
【００２３】
本発明がインターネットラジオ局のインタラクティブデバイスを提供する第１実施例において、前記インタラクティブデバイスは、ハウジング、コンテンツ提示ユニット及びコンテンツ選択ユニットを含む。
【００２４】
前記コンテンツ提示ユニットは、前記ハウジングに装着されて外側に露出する１又は複数のスピーカとすればよい。
【００２５】
図１に示すように、前記コンテンツ選択ユニットは、操作モジュール１、前記操作モジュール１に電気的に接続される処理モジュール６、前記処理モジュール６に電気的に接続される物理形態の指示モジュール２、及び前記処理モジュール６に電気的に接続される通信モジュール７を含む。前記処理モジュール６は、前記通信モジュール７を介してインターネットラジオ局に接続される。
【００２６】
図２に示すように、前記ハウジングの内部には電子回路基板５が固定されており、前記処理モジュール６、前記チャンネル選択モジュール及び前記通信モジュール７が前記電子回路基板５に集積されている。前記処理モジュール６の回路構造は図４に示す通りである。また、前記通信モジュール７にはＷｉ−Ｆｉチップを使用する。
【００２７】
図２に示すように、前記操作モジュール１は、ロータリエンコーダ１２と、前記ロータリエンコーダ１２の回転軸１２１に覆接される摘み１１を含む。前記ロータリエンコーダ１２は前記電子回路基板５に溶接される。また、前記ロータリエンコーダ１２内にはチャンネル選択回路が設けられている。前記チャンネル選択回路の回路構造は図３に示す通りであり、前記回転軸１２１の角変位を対応する電気信号に変換可能である。
【００２８】
図２に示すように、前記指示モジュール２はダイヤル２２及び照明プレート２１を含む。前記ダイヤル２２には１〜Ｎ（Ｎは０よりも大きな自然数）個の表示記号が備わっている。また、前記照明プレート２１には、前記処理モジュール６に電気的に接続される指示回路が設けられている。前記指示回路の回路構造図である図５に示すように、前記指示回路は、１〜Ｎ（Ｎは０よりも大きな自然数）個のＬＥＤランプを含み、１〜Ｎ個の前記ＬＥＤランプが１〜Ｎ個の前記表示記号に一対一で対応している。前記照明プレート２１は前記電子回路基板５に溶接される。前記照明プレート２１の中央には、前記ロータリエンコーダ１２の回転軸１２１を挿通可能な第１丸孔２１２が備わっており、前記ダイヤル２２の中央には、前記ロータリエンコーダ１２の回転軸１２１を挿通可能な第２丸孔２２１が備わっている。前記ロータリエンコーダ１２の回転軸１２１は、前記第１丸孔２１２と前記第２丸孔２２１に挿通される。１２個の前記表示記号はそれぞれ１〜Ｎの数字（Ｎは０よりも大きな自然数）であり、１〜Ｎ（Ｎは０よりも大きな自然数）個の前記表示記号が等間隔で前記第２丸孔２２１を取り囲むように配置されている。また、１〜Ｎ（Ｎは０よりも大きな自然数）個の前記ＬＥＤランプは、前記照明プレート２１における前記ダイヤル２２に面する側に装着されている。且つ、１〜Ｎ（Ｎは０よりも大きな自然数）個の前記ＬＥＤランプは等間隔で前記第１丸孔２１２を取り囲むように配置されている。１〜Ｎ（Ｎは０よりも大きな自然数）個の前記ＬＥＤランプはそれぞれＬＥＤ１〜ＬＥＤＮ（Ｎは０よりも大きな自然数）であり、１〜Ｎ（Ｎは０よりも大きな自然数）個の前記ＬＥＤランプは、それぞれ１〜Ｎ（Ｎは０よりも大きな自然数）個の前記表示記号に一対一で対応している。
【００２９】
ユーザが手動で前記摘み１１を一定の角度だけ回すと、前記摘み１１が前記ロータリエンコーダ１２の回転軸１２１を同じ角度だけ回転させる。これにより、前記ロータリエンコーダ１２内の前記チャンネル選択回路が、前記回転軸１２１の角変位を対応する電気信号に変換する。前記処理モジュール６は、前記通信モジュール７を介してインターネットラジオ局に予め接続しておく。前記処理モジュール６は、前記電気信号を受信すると、前記インターネットラジオ局から前記電気信号に対応するオーディオリソースを取得して、前記オーディオリソースを前記コンテンツ提示ユニットに送信する。すると、前記コンテンツ提示ユニットが、前記オーディオリソースを受信して放送する。これにより、従来型のラジオの回転チューニングを模倣した方法で、所望のオーディオリソースの選択及び聴取が実現される。
【００３０】
一方、前記処理モジュール６は、前記電気信号を受信すると、更に前記指示モジュール２における前記電気信号に対応する前記ＬＥＤランプを点灯させるよう駆動する。これにより、ユーザは、いずれかの前記表示記号に対応する前記ＬＥＤランプが点灯したときに、どのような前記オーディオリソースを聴取可能なのかを明確に知ることができる。よって、次に同じ前記オーディオリソースを聴取したくなった場合、ユーザは前記摘み１１を回して対応する前記ＬＥＤランプを点灯させるだけでよい。例えば、対応する表示記号が数字の「１」であるＬＥＤランプが点灯した場合に、前記コンテンツ提示ユニットが軍事テーマ系のオーディオリソースを放送したとする。この場合、ユーザは、次に軍事テーマ系のオーディオリソースを聴取したくなったときは、前記摘み１１を回して、対応する表示記号が数字の「１」であるＬＥＤランプを点灯させるだけでよい。
【００３１】
以上述べたように、本発明で提供するインターネットラジオ局のインタラクティブデバイスを実施すれば、少なくとも以下の有益な効果を達成可能である。
【００３２】
１．前記インターネットラジオ局のインタラクティブデバイスを使用してインターネットラジオ局を聴取する場合には、前記摘み１１を回すことで所望のオーディオリソースを選択及び聴取可能である。このような選択方式は従来型のラジオにおける回転チューニング方法と極似しているため、従来型のラジオのチューニングに慣れたユーザが、本発明で提供するインターネットラジオ局のインタラクティブデバイスを使用する際に適応困難に陥るとの事態は発生し得ず、本発明で提供するインターネットラジオ局のインタラクティブデバイスを速やかに受け入れて自在に使用することが可能となる。
【００３３】
２．前記インターネットラジオ局のインタラクティブデバイスを使用してインターネットラジオ局を聴取する場合に、いずれかのインターネットラジオ局のオーディオリソースが聴取されたときには、対応するＬＥＤランプが点灯する。且つ、各ＬＥＤランプには対応する表示記号が存在するため、ユーザは各ＬＥＤランプに対応するオーディオリソースを記憶しやすい。よって、これ以降、ユーザは所望のオーディオリソースを素早く選択しやすくなり、検索の手間が省かれる。
【００３４】
更に、前記インターネットラジオ局のインタラクティブデバイスはレンズ３を含む。前記ダイヤル２２は前記ハウジングに係止され、前記レンズ３は前記ダイヤル２２における前記照明プレート２１とは反対の側に係止される。前記レンズ３の中央には、前記ロータリエンコーダ１２の回転軸１２１を挿通可能な第３丸孔３１が備わっており、前記ロータリエンコーダ１２の回転軸１２１が前記第３丸孔３１に挿通される。前記レンズ３は、前記ダイヤル２２を保護する役割を発揮可能であるとともに、ユーザにとって、前記ダイヤル２２上の前記表示記号及び前記照明プレート２１上の前記ＬＥＤランプを観察しやすくする。
【００３５】
更に、前記インターネットラジオ局のインタラクティブデバイスは金属リング４を含む。前記金属リング４は、前記レンズ３の辺縁に掛合されて前記レンズ３を取り囲み、前記レンズ３を保護する役割を発揮するとともに、前記インターネットラジオ局のインタラクティブデバイスの見た目をより美しくすることが可能である。
【実施例２】
【００３６】
本実施例で提供するインターネットラジオ局のインタラクティブデバイスは、前記摘み１が連携モジュール８を介して前記ロータリエンコーダ１２の回転軸１２１に接続される点で実施例１とは異なる。また、前記指示モジュール２の構造においても異なっている。
【００３７】
図６を参照して、前記指示モジュール２は、ケーブル２３、前記ケーブル２３に接続される指針２４、前記ケーブル２３に沿って配置されるダイヤル２２及び前記ダイヤル２２に対応する照明プレート２１を含む。前記ダイヤル２２にはＮ個の表示記号（Ｎは０以上の自然数）が備わっている。また、前記照明プレート２１には、前記処理モジュール６に電気的に接続される指示回路が設けられている。前記指示回路の回路構造図である図５に示すように、前記指示回路はＮ個のＬＥＤランプを含み、Ｎ個の前記ＬＥＤランプがＮ個の前記表示記号に一対一で対応している。前記ダイヤル２２は、前記ハウジングの外側にネジで締結されるとともに、前記指針２４の内側に位置している。本実施例において、前記ハウジングの前側には狭長の貫通孔が開設されており、前記貫通孔の位置が前記ケーブル２３に対応している。前記ダイヤル２２は前記貫通孔の上縁又は下縁に沿って配置される。また、Ｎ個の前記表示記号は、それぞれ数字の「１」、「２」、「３」、「４」、「５」、「６」、「７」、「８」、「９」・・・「Ｎ」である。Ｎ個の前記表示記号は前記貫通孔の上縁又は下縁に沿って配置される。前記照明プレート２１は前記電子回路基板５に溶接される。Ｎ個の前記ＬＥＤランプは、前記照明プレート２１における前記ダイヤル２２に面する側に装着されている。前記照明プレート２１上のＮ個の前記ＬＥＤランプは前記貫通孔に沿って配置されるとともに、ユーザが観察できるよう、前記貫通孔を通じて前記ハウジングから露出している。Ｎ個の前記ＬＥＤランプは、それぞれ、ＬＥＤ１、ＬＥＤ２、ＬＥＤ３、ＬＥＤ４、ＬＥＤ５、ＬＥＤ６、ＬＥＤ７、ＬＥＤ８、ＬＥＤ９・・・ＬＥＤＮであり、Ｎ個の前記ＬＥＤランプがそれぞれＮ個の前記表示記号に一対一で対応している。
【００３８】
前記連携モジュール８は、前記ロータリエンコーダ１２の回転軸１２１に覆接される第１滑車８１を含む。前記ケーブル２３は、前記摘み１１と前記第１滑車８１にそれぞれ巻き付けられる。
【００３９】
ユーザが手動で前記摘み１１を一定の角度だけ回すと、前記摘み１１が前記ケーブル２３を一定の軌道だけ走行駆動することで、前記第１滑車８１が前記ロータリエンコーダ１２の回転軸１２１を一定の角度だけ回転させる。これにより、前記ロータリエンコーダ１２内の前記チャンネル選択回路が前記回転軸１２１の角変位を対応する電気信号に変換する。前記処理モジュール６は、前記通信モジュール７を介してインターネットラジオ局に予め接続しておく。前記処理モジュール６は、前記電気信号を受信すると、前記インターネットラジオ局から前記電気信号に対応するオーディオリソースを取得して、前記オーディオリソースを前記コンテンツ提示ユニットに送信する。すると、前記コンテンツ提示ユニットが、前記オーディオリソースを受信して放送する。これにより、従来型のラジオの回転チューニングを模倣した方法で、所望のオーディオリソースの選択及び聴取が実現される。
【００４０】
一方、前記処理モジュール６は、前記電気信号を受信すると、更に前記指示モジュール２における前記電気信号に対応する前記ＬＥＤランプを点灯させるよう駆動する。且つ、前記指針２４も前記ケーブル２３とともに前記ダイヤル２２に沿って移動し、点灯した前記ＬＥＤランプに対応する前記表示記号に照準を合わせる。これにより、ユーザは、いずれかの前記表示記号に対応する前記ＬＥＤランプが点灯したときに、どのような前記オーディオリソースを聴取可能なのかを明確に知ることができる。よって、次に同じ前記オーディオリソースを聴取したくなった場合、ユーザは前記摘み１１を回して対応する前記ＬＥＤランプを点灯させるだけでよい。例えば、対応する表示記号が数字の「２」であるＬＥＤランプが点灯した場合に、前記コンテンツ提示ユニットが社会的テーマ系のオーディオリソースを放送したとする。この場合、ユーザは、次に社会的テーマ系のオーディオリソースを聴取したくなったときは、前記摘み１１を回して、対応する表示記号が数字の「２」であるＬＥＤランプを点灯させるだけでよい。
【００４１】
言うまでもなく、本実施例で提供するインターネットラジオ局のインタラクティブデバイスを実施すれば、実施例１で提供するインターネットラジオ局のインタラクティブデバイスと同様の有益な効果を達成可能である。
【実施例３】
【００４２】
本実施例で提供するインターネットラジオ局のインタラクティブデバイスは、連携モジュール８の構造において実施例２とは異なる。
【００４３】
本実施例では、図７を参照して、前記連携モジュール８が、第２滑車８２、第１受動伝動プーリ８３及び第２受動伝動プーリ８４を含む。前記第２滑車８２は前記ロータリエンコーダ１２の回転軸１２１に接続される。また、前記ケーブル２３は、前記第２滑車８２、前記第１受動伝動プーリ８３、前記第２受動伝動プーリ８４及び前記摘み１１に巻き付けられる。前記ダイヤル２２は、前記ハウジングの外側にネジで締結されるとともに、前記指針２４の内側に位置している。
【００４４】
上記から明らかなように、ユーザが前記摘み１１を回してラジオ局選択命令を入力すると、前記摘み１１が前記ケーブル２３を引っ張って一定の軌道だけ走行させることで、前記ケーブル２３が前記第２滑車８２を一定の角度だけ回転させる。前記第２滑車８２が回転すると、前記ロータリエンコーダ１２の回転軸１２１が回転し、前記ロータリエンコーダ１２のチャンネル選択回路が対応する電気信号を生成する。且つ、前記指針２４も前記ケーブル２３とともに前記ダイヤル２２に沿って移動し、点灯した前記ＬＥＤランプに対応する前記表示記号に照準を合わせる。
【００４５】
説明すべき点として、前記ケーブル２３は水平としてもよいし、垂直としてもよく、これに応じて、前記指針２４は垂直としてもよいし、水平としてもよい。
【００４６】
上記では図面を組み合わせて本発明の実施例について記載したが、本発明は上記の具体的実施形態に限らない。上記の具体的実施形態は概略的なものにすぎず、限定を意図していない。当業者は、本発明の示唆を元に、本発明の主旨及び請求項で保護する範囲を逸脱しないことを前提に更に多くの形式を実施可能であり、これらもまた本発明の保護の範囲に属する。
【図１】
2021517374.tif 000003
【図２】
2021517374.tif 000004
【図３】
2021517374.tif 000005
【図４】
2021517374.tif 000006
【図５】
2021517374.tif 000007
【図６】
2021517374.tif 000008
【図７】
2021517374.tif 000009
【国際調査報告】
2021517374.tif 000010
2021517374.tif 000011
2021517374.tif 000012
2021517374.tif 000013